(57)【要約】【課題】既に購入した商品も考慮して相互作用のある商品を探し出し、相互作用を生じる商品があった場合に警告を出力できる販売情報登録処理装置及び販売情報登録処理プログラムを提供する。【解決手段】販売情報登録処理装置は、情報を表示する表示装置と、商品ごとに商品に関する情報を格納する商品マスタと、一取引の内容を格納するトランザクションファイルと、登録された商品の商品ＩＤに基づいて、商品ＩＤ毎に相互作用を生じる禁忌商品の商品ＩＤである禁忌商品ＩＤを格納する薬品データベースから禁忌商品ＩＤを読み出し、会員ＩＤごとに購入履歴を格納する履歴データベースから読み出した購入履歴に禁忌商品ＩＤがある場合、相互作用を生じる商品が購入されている旨の警告を表示装置に出力する制御部と、を備える。【選択図】図９
2016045785.tif 000002
【特許請求の範囲】
【請求項１】
情報を表示する表示装置と、
商品ごとに商品に関する情報を格納する商品マスタと、
一取引の内容を格納するトランザクションファイルと、
登録された商品の商品ＩＤに基づいて、前記商品ＩＤ毎に相互作用を生じる禁忌商品の商品ＩＤである禁忌商品ＩＤを格納する薬品データベースから前記禁忌商品ＩＤを読み出し、会員ＩＤごとに購入履歴を格納する履歴データベースから読み出した前記購入履歴に前記禁忌商品ＩＤがある場合、相互作用を生じる商品が購入されている旨の警告を前記表示装置に表示する制御部と、
を備える販売情報登録処理装置。
【請求項２】
前記制御部は、
前記警告を、前記表示装置のオペレータ用ディスプレイに表示するとともに、顧客に情報を提示する客面ディスプレイに表示する請求項１記載の販売情報登録処理装置。
【請求項３】
前記制御部は、
前記警告を、前記表示装置のオペレータ用ディスプレイに表示するとともに、プリンタによってレシートに印字する請求項１記載の販売情報登録処理装置。
【請求項４】
情報を表示する表示装置と、
商品ごとに商品に関する情報を格納する商品マスタと、
一取引の内容を格納するトランザクションファイルと、
を備えるコンピュータを、
登録された商品の商品ＩＤに基づいて、前記商品ＩＤ毎に相互作用を生じる禁忌商品の商品ＩＤである禁忌商品ＩＤを格納する薬品データベースから前記禁忌商品ＩＤを読み出す禁忌商品読み出し手段と、
会員ＩＤごとに購入履歴を格納する履歴データベースから読み出した前記購入履歴に前記禁忌商品ＩＤがある場合、相互作用を生じる商品が購入されている旨の警告を前記表示装置に表示する警告出力手段と、
として機能させるための販売情報登録処理プログラム。
【請求項５】
前記コンピュータを、
前記警告を、前記表示装置のオペレータ用ディスプレイに表示するとともに、顧客に情報を提示する客面ディスプレイに表示する客面警告表示手段としてさらに機能させるための請求項４記載の販売情報登録処理プログラム。
【請求項６】
前記コンピュータを、
前記警告を、前記表示装置のオペレータ用ディスプレイに表示するとともに、プリンタによってレシートに印字する警告印字出力手段としてさらに機能させるための請求項４記載の販売情報登録処理プログラム。
【発明の詳細な説明】
【技術分野】
【０００１】
本発明の実施形態は、販売情報登録処理装置及び販売情報登録処理プログラムに関する。
【背景技術】
【０００２】
医薬品や健康食品の中には、他の医薬品や特定の食品と相互作用が生じ、薬品の効果を低減させたり亢進させたりするものがある。あるいは、同時に摂取することにより健康被害を引き起こす組み合わせもある。
【０００３】
この点に関し、顧客が同時に購入する商品の中に相互作用を生じさせる商品が存在した場合には、警告を出力する販売情報登録処理装置が提案されている。
【０００４】
しかし、異なったタイミングにより相互作用が生じる商品をそれぞれ購入した場合、この販売情報登録処理装置では警告を出力することができない。
【先行技術文献】
【特許文献】
【０００５】
【特許文献１】特開２００３−２３３６７３号公報
【発明の概要】
【発明が解決しようとする課題】
【０００６】
従って、既に購入した商品も考慮して相互作用のある商品を探し出し、相互作用を生じる商品があった場合に警告を出力できる販売情報登録処理装置及び販売情報登録処理プログラムが求められている。
【課題を解決するための手段】
【０００７】
上記の課題を解決するために、本発明の一実施形態は、情報を表示する表示装置と、商品ごとに商品に関する情報を格納する商品マスタと、一取引の内容を格納するトランザクションファイルと、登録された商品の商品ＩＤに基づいて、商品ＩＤ毎に相互作用を生じる禁忌商品の商品ＩＤである禁忌商品ＩＤを格納する薬品データベースから禁忌商品ＩＤを読み出し、会員ＩＤごとに購入履歴を格納する履歴データベースから読み出した購入履歴に禁忌商品ＩＤがある場合、相互作用を生じる商品が購入されている旨の警告を表示装置に表示する制御部と、を備える販売情報登録処理装置を提供する。
【図面の簡単な説明】
【０００８】
【図１】販売情報登録処理装置を含む販売情報登録処理システムの構成を示すブロック図である。
【図２】販売情報登録処理装置の構成を示すブロック図である。
【図３】履歴サーバの構成を示すブロック図である。
【図４】薬品サーバの構成を示すブロック図である。
【図５】商品マスタのデータ構成を示す図である。
【図６】トランザクションファイルのデータ構成を示す図である。
【図７】履歴データベースのデータ構成を示す図である。
【図８】薬品データベースのデータ構成を示す図である。
【図９】販売情報登録処理システムの動作を示すフローチャートである。
【図１０】相互作用薬品通知画面の例を示す図である。
【発明を実施するための形態】
【０００９】
以下、販売情報登録処理装置及び販売情報登録処理プログラムの一実施形態について、図面を用いて詳細に説明する。
【００１０】
図１は、販売情報登録処理装置を含む販売情報登録処理システムの構成を示すブロック図である。図１に示すように、販売情報登録処理システムは、ＰＯＳ（ｐｏｉｎｔ  ｏｆ  ｓａｌｅｓ）端末１０（以下、販売情報登録処理装置をＰＯＳ端末１０という。）と、履歴サーバ２０と、薬品サーバ３０と、を備える。販売情報登録処理システムは例えばスーパーマーケットなどの物販店において使用される。
【００１１】
ＰＯＳ端末１０は、履歴サーバ２０及び薬品サーバ３０とインターネットなどの公衆通信回線網１を介して接続される。
【００１２】
図２は、ＰＯＳ端末１０の構成を示すブロック図である。図２に示すように、ＰＯＳ端末１０は、ＰＯＳ制御部１０１と、ＰＯＳ記憶部１０２と、ＰＯＳ入出力部１０３と、ＰＯＳ通信部１０４と、を備える。ＰＯＳ端末１０はコンピュータを用いて構成することができる。
【００１３】
ＰＯＳ制御部１０１は演算装置であるＣＰＵ（ｃｅｎｔｒａｌ  ｐｒｏｃｅｓｓｉｎｇ  ｕｎｉｔ）を含む。
【００１４】
ＰＯＳ記憶部１０２はメモリ、ハードディスクドライブなどの記憶装置を含む。ＰＯＳ記憶部１０２は、商品マスタ１０２Ａと、トランザクションファイル１０２Ｂと、を格納する。
【００１５】
ＰＯＳ記憶部１０２は、販売情報登録処理プログラムを格納し、ＰＯＳ制御部１０１はＰＯＳ記憶部１０２から販売情報登録処理プログラムを順次読み出して実行する。
【００１６】
商品マスタ１０２Ａは、商品に固有に割り当てられる商品ＩＤごとに、商品名、単価を含む商品情報を格納する。
【００１７】
トランザクションファイル１０２Ｂは、オーダーサーバ５０から受信した売り上げ情報を一取引ごとに格納する。
【００１８】
ＰＯＳ入出力部１０３は、オペレータ用ディスプレイ、及び顧客に情報を提示する客面ディスプレイなどの表示装置、キーボード、マウス、カードリーダ、無線タグリーダライタなどの入出力装置を含む。また、ＰＯＳ端末１０はレシートを印刷するプリンタを備えていてもよい。
【００１９】
ＰＯＳ通信部１０４は、公衆通信回線網１に接続し、通信を行う。
【００２０】
図３は、履歴サーバ２０の構成を示すブロック図である。図３に示すように、履歴サーバ２０は、履歴サーバ制御部２０１と、履歴サーバ記憶部２０２と、履歴サーバ入出力部２０３と、履歴サーバ通信部２０４と、を備える。履歴サーバ２０は、いわゆるサーバなどのコンピュータを用いて構成することができる。
【００２１】
履歴サーバ制御部２０１は演算装置であるＣＰＵを含む。
【００２２】
履歴サーバ記憶部２０２はメモリ、ハードディスクドライブなどの記憶装置を含む。履歴サーバ記憶部２０２は、履歴データベース（以下、データベースをＤ／Ｂという。）２０２Ａを格納する。
【００２３】
履歴サーバ記憶部２０２は、販売情報登録処理プログラムを格納し、履歴サーバ制御部２０１は履歴サーバ記憶部２０２から販売情報登録処理プログラムを順次読み出して実行する。
【００２４】
履歴Ｄ／Ｂ２０２Ａは、顧客に固有に割り当てられる会員ＩＤごとに、購入履歴情報を格納する。
【００２５】
履歴サーバ入出力部２０３は、ディスプレイ、キーボード、マウスなどの入出力装置を含む。
【００２６】
履歴サーバ通信部２０４は、公衆通信回線網１に接続し、通信を行う。
【００２７】
図４は、薬品サーバ３０の構成を示すブロック図である。図４に示すように、薬品サーバ３０は、薬品サーバ制御部３０１と、薬品サーバ記憶部３０２と、薬品サーバ入出力部３０３と、薬品サーバ通信部３０４と、を備える。薬品サーバ３０は、いわゆるサーバなどのコンピュータを用いて構成することができる。
【００２８】
薬品サーバ制御部３０１は演算装置であるＣＰＵを含む。
【００２９】
薬品サーバ記憶部３０２はメモリ、ハードディスクドライブなどの記憶装置を含む。薬品サーバ記憶部３０２は、薬品Ｄ／Ｂ３０２Ａを格納する。
【００３０】
薬品サーバ記憶部３０２は、販売情報登録処理プログラムを格納し、薬品サーバ制御部３０１は薬品サーバ記憶部３０２から販売情報登録処理プログラムを順次読み出して実行する。
【００３１】
薬品Ｄ／Ｂ３０２Ａは、商品に固有に割り当てられる商品ＩＤごとに、相互作用を生じる商品の情報である相互作用情報を格納する。
【００３２】
薬品サーバ入出力部３０３は、ディスプレイ、キーボード、マウスなどの入出力装置を含む。
【００３３】
薬品サーバ通信部３０４は、公衆通信回線網１に接続し、通信を行う。
【００３４】
図５は、商品マスタ１０２Ａのデータ構成を示す図である。図５に示すように、商品マスタ１０２Ａは、商品に固有に割り当てられる識別子である「商品ＩＤ」と、取扱い部門を示す「部門」と、商品の名称を示す「商品名」と、商品の１単位量当たりの価格を示す「単価」と、を格納する。
【００３５】
各データの例は、商品ＩＤが「２０１２３」、部門が「０２」、商品名が「商品Ａ」、単価が「１２００」である。
【００３６】
図６は、トランザクションファイル１０２Ｂのデータ構成を示す図である。図６に示すように、トランザクションファイル１０２Ｂは、一取引に固有に割り当てられる「伝票Ｎｏ．」と、「商品ＩＤ」と、「部門」と、「商品名」と、「単価」と、売り上げが立った数量を示す「数量」と、当該商品を顧客が購入した年月日を示す「購入日」と、を格納する。
【００３７】
各データの例は、伝票Ｎｏ．が「１０２」、商品ＩＤが「２０１２３」、部門が「０２」、商品名が「薬品Ａ」、単価が「１２００」、数量が「１」、購入日が「２０１４０８２５」である。
【００３８】
図７は、履歴Ｄ／Ｂ２０２Ａのデータ構成を示す図である。図７に示すように履歴Ｄ／Ｂ２０２Ａは、顧客に固有に割り当てられる「会員ＩＤ」と、「商品ＩＤ」と、「購入日」と、「部門」と、「商品名」と、「数量」と、を格納する。
【００３９】
各データの例は、会員ＩＤが「０８０１」、商品ＩＤが「２０１２３」、購入日が「２０１４０８２５」、部門が「０２」、商品名が「薬品Ａ」、数量が「１」である。
【００４０】
図８は、薬品Ｄ／Ｂ３０２Ａのデータ構成を示す図である。図８に示すように、薬品Ｄ／Ｂ３０２Ａは、「商品ＩＤ」、「部門」、及び「商品名」ごとに、相互作用のある商品の商品ＩＤである「禁忌商品ＩＤ」と、相互作用のある商品の名称である「禁忌商品名」と、相互作用の内容を示す「相互作用」と、を格納する。
【００４１】
各データの例は、商品ＩＤが「２０１２３」、部門が「０２」、商品名が「薬品Ａ」、禁忌商品ＩＤが「１１５７」、禁忌商品名が「商品Ｂ」、相互作用が「薬効低減」である。
【００４２】
図９は、販売情報登録処理システムの動作を示すフローチャートである。図９に示すように、ステップ９０１において、ＰＯＳ制御部１０１は、ＰＯＳ入出力部１０３のカードリーダを介して顧客の有する会員カードから会員ＩＤを読み込む。
【００４３】
ステップ９０２において、ＰＯＳ制御部１０１は、顧客が購入する商品を登録する。
【００４４】
ステップ９０３において、ＰＯＳ制御部１０１はＰＯＳ入出力部１０３の小計キーが押下されたかを判定する。ＰＯＳ入出力部１０３は小計キーが押下されたと判定した場合（ステップ９０３のＹ）、ステップ９０４に進み、押下されていないと判定した場合（ステップ９０４のＮ）、ステップ９０２に戻る。
【００４５】
ステップ９０４において、ＰＯＳ制御部１０１は小計を計算する。
【００４６】
ステップ９０５において、ＰＯＳ制御部１０１は会員ＩＤとともに、当該会員の購入履歴の送信を要求する購入履歴要求を履歴サーバ２０に送信する。
【００４７】
ステップ９０６において、履歴サーバ制御部２０１は、受信した会員ＩＤに基づいて履歴Ｄ／Ｂ２０２Ａを検索し、予め定められた期間の購入履歴を読み出し、ＰＯＳ端末１０に送信する。
【００４８】
ステップ９０７において、ＰＯＳ制御部１０１は、受信した購入履歴に含まれる商品ＩＤとともに、当該商品の相互作用に関する情報である薬品情報の送信を求める薬品情報要求を薬品サーバ３０に送信する。
【００４９】
ステップ９０８において、薬品サーバ制御部３０１は、受信した商品ＩＤに基づいて薬品Ｄ／Ｂ３０２Ａを検索し、薬品情報を読み出してＰＯＳ端末１０に送信する。
【００５０】
ステップ９０９において、ＰＯＳ制御部１０１は、登録された商品の商品ＩＤに基づいて薬品サーバ３０から受信した薬品情報を検索する。該当商品があった場合、ＰＯＳ制御部１０１はその商品の禁忌商品ＩＤを薬品情報から読み出す。ＰＯＳ制御部１０１は読み出した禁忌商品ＩＤに基づいて、受信した購入履歴を検索し、該当する商品ＩＤがあるかを判定する。ＰＯＳ制御部１０１は、禁忌商品ＩＤに対応する商品ＩＤが購入履歴にあった場合（ステップ９０９のＹ）、ステップ９１０に進み、なかった場合（ステップ９０９のＮ）、ステップ９１１に進む。
【００５１】
ステップ９１０において、ＰＯＳ制御部１０１は禁忌商品に関する情報を出力する相互作用薬品通知画面１００１をＰＯＳ入出力部１０３の表示装置であるディスプレイにポップアップして出力する。この際、顧客に情報を提示する客面ディスプレイに同じ内容を表示させてもよい。
【００５２】
ステップ９１１において、ＰＯＳ制御部１０１は当該取引が確定した場合、当該取引の内容を購入履歴として会員ＩＤと共に履歴サーバ２０に送信し、預り金からつり銭を計算して一取引を終了する。履歴サーバ制御部２０１は受信した購入履歴を履歴Ｄ／Ｂ２０２Ａに格納する。
【００５３】
図１０は、相互作用薬品通知画面１００１の例を示す図である。図１０に示すように、相互作用薬品通知画面１００１は、オペレータに相互作用がある商品があることを注意喚起する注意欄１００２と、相互作用を起こす商品についての詳細説明を出力する詳細欄１００３と、相互作用薬品通知画面１００１を閉じるＯＫボタン１００４と、を含む。
【００５４】
ＰＯＳ制御部１０１は、詳細欄と同様の内容をレシートに印字して出力してもよい。
【００５５】
なお、ＰＯＳ制御部１０１は、顧客が有するスマートフォンなどの携帯情報端末から他店舗において購入した薬品などの商品に関するデータを入力し、購入履歴として履歴サーバ２０に送信してもよい。この購入履歴を受信した履歴サーバ制御部２０１は受信した購入履歴を履歴Ｄ／Ｂ２０２Ａに格納することもできる。
【００５６】
以上述べたように、本実施形態の販売情報登録処理装置は、履歴Ｄ／Ｂ２０２Ａから読み出した購入履歴と、薬品Ｄ／Ｂ３０２Ａから読み出した薬品情報と、に基づいて相互作用を生じる商品についての情報をＰＯＳ入出力部１０３に表示させる。
【００５７】
従って、既に購入した商品も考慮して相互作用のある商品を探し出し、相互作用を生じる商品があった場合に警告を出力できるという効果がある。
【００５８】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１０：ＰＯＳ端末
２０：履歴サーバ
３０：薬品サーバ
１０２Ａ：商品マスタ
１０２Ｂ：トランザクションファイル
２０２Ａ：履歴データベース
３０２Ａ：薬品データベース
【図１】
2016045785.tif 000003
【図２】
2016045785.tif 000004
【図３】
2016045785.tif 000005
【図４】
2016045785.tif 000006
【図５】
2016045785.tif 000007
【図６】
2016045785.tif 000008
【図７】
2016045785.tif 000009
【図８】
2016045785.tif 000010
【図９】
2016045785.tif 000011
【図１０】
2016045785.tif 000012